(57)【要約】      （修正有）【課題】蓋部に覆れているときでも、カバン本体部に収納されている物品を出し入れできる蓋部付きのカバンであって、雨天時や降雪時においてもカバン本体部に収納している内容物を濡らしてしまうことがなく、また、カバン本体部の内部に塵などのゴミが侵入することを防ぐことできる蓋部付きカバンを提供する。【解決手段】開口部１１ａを有し、物品を収納するカバン本体部１と、一端側がカバン本体部に設けられ、開口部を覆いうる蓋部２と、蓋部に設けられ開口部の上方に位置し、開閉具２１により開け閉めが自在である開閉口２２を備える。【選択図】図３
0003199672.tif 000002
【実用新案登録請求の範囲】
【請求項１】
開口部を有し、物品を収納するカバン本体部と、
一端側が前記カバン本体部に設けられ、前記開口部を覆いうる蓋部と、
前記蓋部に設けられ前記開口部の上方に位置し、開閉具により開け閉めが自在である開閉口を備えることを特徴とする蓋部付きカバン。
【請求項２】
一端側が前記蓋部に設けられ、他端側に前記蓋部と着脱可能な係止具を有し、前記開閉具及び前記開閉口を覆いうる被覆部を備えることを特徴とする請求項１に記載の蓋部付きカバン。
【請求項３】
前記カバン本体部の側面に肩掛けベルトを備えることを特徴とする請求項１又は請求項２に記載の蓋部付きカバン。
【考案の詳細な説明】
【技術分野】
【０００１】
本考案は、カバン本体部の開口部を蓋部により覆っているときでも、カバン本体部に収納されている物品を出し入れすることができる蓋部付きのカバンに関する。
【背景技術】
【０００２】
従来、内部に種々の物品を収納する収納部の開口部を覆う蓋を有し、その蓋に切れ込みなどを入れて収納部からそれら物品を出し入れすることができるカバンなどが知られている。
【０００３】
例えば、特許文献１には、収納部１１の開け口１３を開閉する蓋体１４を備えたカバンのようなケースにおいて、蓋体１４にスリット１５を形成して、スリット１５に書類等を押しつけてスリット１５を押し広げ収納部１１に収納することができることが開示されている。
【先行技術文献】
【特許文献】
【０００４】
【特許文献１】特開平８−１９４１３号公報
【考案の概要】
【考案が解決しようとする課題】
【０００５】
しかしながら、特許文献１のケースでは、スリット１５は完全に閉じられるものでなく力が加われば押し広げられるために、長年の使用により開け癖がついてしまい常時隙間が生じて、雨天時に収納部１１に収納している書類などの物品が濡れてしまう課題があった。また、長年の使用により開け癖がついてしまい常時隙間が生じて、収納部１１に塵などのゴミが蓄積しやすいという課題もあった。
【０００６】
そのため、本考案では、カバン本体部の開口部を蓋部により覆っているときでも、カバン本体部に収納されている物品を出し入れすることができる蓋部付きのカバンであって、雨天時や降雪時においてもカバン本体部に収納している内容物を濡らしてしまうことがなく、また、カバン本体部の内部に塵などのゴミが侵入することを防ぐことできる蓋部付きカバンを提供することを目的とする。
【課題を解決するための手段】
【０００７】
〔１〕すなわち、本考案は、開口部を有し、物品を収納するカバン本体部と、一端側が前記カバン本体部に設けられ、前記開口部を覆いうる蓋部と、前記蓋部に設けられ前記開口部の上方に位置し、開閉具により開け閉めが自在である開閉口を備えることを特徴とする蓋部付きカバンである。
【０００８】
〔２〕そして、一端側が前記蓋部に設けられ、他端側に前記蓋部と着脱可能な係止具を有し、前記開閉具及び前記開閉口を覆いうる被覆部を備えることを特徴とする前記〔１〕に記載の蓋部付きカバンである。
【０００９】
〔３〕そして、前記カバン本体部の側面に肩掛けベルトを備えることを特徴とする前記〔１〕又は前記〔２〕に記載の蓋部付きカバンである。
【考案の効果】
【００１０】
本考案のカバンによれば、カバン本体部の開口部を蓋部により覆っているときでも、カバン本体部に収納されている物品を出し入れすることができる蓋部付きのカバンにおいて、雨天時や降雪時においてもカバン本体部に収納している内容物を濡らしてしまうことがなく、また、カバン本体部の内部に塵などのゴミが侵入することを防ぐことできる。
【図面の簡単な説明】
【００１１】
【図１】本考案の蓋部付きカバンにおいて、蓋部及び被覆部を閉じた状態の斜視図である。
【図２】本考案の蓋部付きカバンにおいて、蓋部を閉じ被覆部を開けた状態の斜視図である。
【図３】本考案の蓋部付きカバンにおいて、蓋部を閉じ被覆部を開け、さらに開閉具を操作し開閉口を開けた状態の斜視図である。
【図４】本考案の蓋部付きカバンにおいて、蓋部を開けた状態の斜視図である。
【考案を実施するための形態】
【００１２】
以下、本考案に係る蓋部付きカバンに関する実施の形態について、添付の図面に基づいて詳しく説明する。なお、以下に説明する実施形態は、本考案を実施するに好ましい具体例であるから、技術的に種々の限定がなされているが、本考案は、以下の説明において特に考案を限定する旨が明記されていない限り、この形態に限定されるものではない。そして、数値範囲を表す表現は下限と上限を含有するものである。
【００１３】
図１〜図４に示すように、本考案の蓋部付きカバンは、開口部１１を有し、物品を収納するカバン本体部１と、一端側がカバン本体部１に設けられ、開口部１１を覆いうる蓋部２などを備え、さらに、蓋部２には、開口部１１の上方に位置し、開閉具２１により開け閉めが自在である開閉口２２が穿設されている。
【００１４】
カバン本体部１は、書類、筆記用具、携帯型電子情報端末、化粧品など種々の物品を収納する部材である。本実施形態において、正面部材、背面部材、側面部材、底面部材などを縫合して略矩形状を有している。カバン本体部１の寸法は、外出時に持ち運びしやすいように、横幅が２０〜５０ｃｍ、奥行きが５〜２０ｃｍ、高さが１５〜３５ｃｍ程度であることが好ましい。また、カバン本体部１の素材としては、織物、編み物、レース、フェルト、不織布など肌触りが柔らかい布からなることが好ましい。なお、カバン本体部１は、本実施形態において矩形状であるが、他の実施形態において略台形状、正方形などの矩形状以外の多角形状などとすることもできる。
【００１５】
そして、カバン本体部１には通常の使用時において上方に開いた開口部１１を有しており、その開口部１１を介して種々の物品の出し入れを行う。本実施形態において、間口が最も広い第一開口部１１ａ、第一開口部１１ａに隣接した第二開口部１１ｂ、第一開口部１１ａから最も遠い第三開口部１１ｃの３つの開口部１１を有しており、種々の物品を分類して収納することができる。本実施形態において、３つの開口部１１を備えているが、他の実施形態において、１〜２、又は４以上備えていてもよく、それぞれの開口部分の面積も種々変更することができる。
【００１６】
蓋部２は、一端側がカバン本体部１に設けられ、開口部１１を覆いうる部材である。本実施形態において、蓋部２は、カバン本体部１の背面部材に一端が縫合されており、他端側にカバン本体部１の正面側に設けられた係止突起１２と嵌合する貫通孔２４を有する係止帯２３が設けられてカバン本体部１と固定される。そして、蓋部２をカバン本体部１と固定するときには、開口部１１を覆った状態となる。なお、本実施形態において、蓋部２は、３つの開口部１１の全てを覆っているが、他の実施形態において、少なくとも１つの開口部１１を覆う形態とすることもできる。また、蓋部２の素材としては、織物、編み物、レース、フェルト、不織布など肌触りが柔らかい布からなり、カバン本体部１と同じ種類であることが好ましい。
【００１７】
蓋部２には、開口部１１の上方に位置している開閉口２２の開け閉めを行う開閉具２１が設けられている。開閉具２１により、開閉口２２を閉じることができるため、長年使用しても開閉口２２を確実に閉じて雨天時や降雪時においてもカバン本体部１に収納した物品が濡れてしまうことを防ぐとともに、カバン本体部１の内部に塵などのゴミが蓄積することを防ぐこともできる。本実施形態において、開閉具２１は、線ファスナーであり、蓋部２の中ほどに横幅方向に沿って設けられている。本実施形態において、開閉具２１は線ファスナーであるが、他の実施形態として面ファスナー、嵌合ボタン、フック、磁石など開閉口２２の開け閉めを行うことができる種々の部材を使用することができる。
【００１８】
開口部２２は、蓋部２に設けられ開口部１１の上方に位置する部材であり、開閉具２１により開け閉めを自由に行える部材である。蓋部２に開口部２２が設けられていることにより、カバン本体部１に収納された物品をわざわざ蓋部２を開いてから取り出さなくても、蓋部２が閉まった状態において開口部２２に手を差し入れてカバン本体部１に収納された物品を取り出すことができるので、満員電車などの身動きがとりづらい場所においても簡便にカバン本体部１から物品を取り出すことができ、また、カバン本体部１に物品を収納することができる。
【００１９】
係止帯２３は、蓋部２において、カバン本体部１と固設されている一端部とは反対側の他端部に設けられている、係止帯２３が複数穿設された貫通孔２４でカバン本体部１に突設された係止突起１２と嵌合することにより、蓋部２が勝手に開いてカバン本体部１に収納した物品が落下しないようにしている。本実施形態において、係止帯２３は２つ設けられているが、他の実施形態において１つ又は３つ以上設けてもよい。
【００２０】
被覆部３は、一端側が蓋部２に設けられ、他端側に蓋部２と着脱可能な係止具３１を有し、開閉具２１及び開閉口２２を覆いうる部材である。被覆部３により、開閉具２１が他の物体と衝突して破損することを防ぎ、他人に勝手に開閉具２１を操作されてカバン本体部１に収納している物品を盗られにくくし、また、デザイン性を向上することができる。本実施形態において、被覆部３は略半楕円形状を有している。また、被覆部３の素材としては、織物、編み物、レース、フェルト、不織布など肌触りが柔らかい布からなり、全体としての統一感を出すためにカバン本体部１及び蓋部２と同じ種類であることが好ましい。本実施形態において、被覆部３の下側を蓋部２に固設して上側に係止具３１を設けているが、他の実施形態では、上側を蓋部２に固設して下側に係止具３１を設けるなどしてもよい。なお、本実施形態において、被覆部３を設けているが、他の実施形態において、被覆部３を設けずに開閉具２１が露出するようにしてもよい。
【００２１】
係止具３１は、カバン本体部１と被覆部３の他端部側を着脱する部材である。本実施形態において、係止具３１として面ファスナーを用いているが、他の実施形態において、嵌合ボタン、フック、磁石などカバン本体部１と被覆部３の他端部側を着脱することができる種々の部材を使用することができる。
【００２２】
肩掛けベルト４は、両端がカバン本体部１の側面１ａに固設されたリンク状の金具である係止環５と回動可能に保持された帯状の部材である。肩掛けベルト４により、使用者がカバン本体部１及び蓋部２などを手で持たずに肩で支持して移動することができる。また、肩掛けベルト４には、使用者の好みに応じて長さを調節することができる器具が設けられていることが好ましい。なお、本実施形態において、肩掛けベルト４を設けているが、他の実施形態において、必ずしも肩掛けベルト４を設けずに、使用者の背中でカバン本体部１を保持するためにカバン本体部１の背面側に１本又は２本の背負いベルトを設けてリュックのような態様とすることができ、そして、使用者の腰でカバン本体部１を保持するためにカバン本体部１の背面側に腰巻ベルトを設けてウエストバッグのような態様とすることもでき、また、そもそも肩掛けベルト、腰巻ベルトも設けずに使用者の手でカバン本体部１を保持するセカンドバッグのような態様とするようにしてもよい。
【符号の説明】
【００２３】
１・・・カバン本体部
１１・・・開口部
１２・・・係止突起
１ａ・・・側面
２・・・蓋部
２１・・・開閉具
２２・・・開閉口
２３・・・係止帯
２４・・・貫通孔
３・・・被覆部
３１・・・係止具
４・・・肩掛けベルト
５・・・係止環
【図１】
0003199672.tif 000003
【図２】
0003199672.tif 000004
【図３】
0003199672.tif 000005
【図４】
0003199672.tif 000006